(57)【要約】【課題】体内に留置されるバルーンカテーテルの先端部による組織への接触の影響を極力少なくすることができ、且つ、挿入時の抵抗が少ないバルーンカテーテルを提供すること【解決手段】主内腔とバルーン膨張用内腔とを少なくとも有する管状部材本体と、該管状部材本体の先端側に設けられ該管状部材本体の外径よりも小さいバルーン取付け部と、先端側接着部と基端側接着部とを有して前記バルーン取付け部に接着されているバルーンと、から構成される体内留置用バルーンカテーテルであって、前記バルーンの先端側接着部は、前記バルーン取付け部の先端軸方向外面に設けられた軸方向外面接着部と、前記バルーン取付け部の先端端面全周に渡って設けられた端面接着部と、を有することを特徴とする。【選択図】図１
2010162163.tif 000002
【特許請求の範囲】
【請求項１】
主内腔とバルーン膨張用内腔とを少なくとも有する管状部材本体と、該管状部材本体の先端側に設けられ該管状部材本体の外径よりも小さいバルーン取付け部と、先端側接着部と基端側接着部とを有して前記バルーン取付け部に接着されているバルーンと、から構成される体内留置用バルーンカテーテルであって、
前記バルーンの先端側接着部は、前記バルーン取付け部の先端軸方向外面に設けられた軸方向外面接着部と、前記バルーン取付け部の先端端面全周に渡って設けられた端面接着部と、を有することを特徴とする体内留置用バルーンカテーテル。
【請求項２】
前記バルーンの軸方向外面接着部の長さ（Ａ）と、前記バルーンの全長（Ｂ）との比（Ａ）：（Ｂ）は、１／６以下である請求項１に記載の体内留置用バルーンカテーテル。
【請求項３】
前記バルーンの端面接着部の径方向の接着長さ（Ｃ）は、前記バルーン取付け部の先端部肉厚と同等もしくは小さい請求項１又は２に記載の体内留置用バルーンカテーテル。
【請求項４】
前記管状部材本体から前記バルーン取付け部にかけてテーパー状に縮径している縮径部分を有している請求項１乃至３のいずれかに記載の体内留置用バルーンカテーテル。
【発明の詳細な説明】
【技術分野】
【０００１】
本発明は、体内留置用バルーンカテーテルに関する。
【背景技術】
【０００２】
バルーンカテーテルは、経皮的、或いは内視鏡的に血管、消化管、尿道あるいは気管等へ挿入し、目的の部位にて臨床上必要とする期間（通常３０日未満）留置するために広く用いられている。
これらのバルーンカテーテルは、留置中にバルーン設置部位より先にあるカテーテルの先端部が体内組織に長時間触れていると炎症をおこしたり潰瘍を発生させたりするおそれがあり、これを防止するためにバルーンがカテーテルの先端部を越えて膨張するものが考案されている。
この中に、バルーンの軸方向の厚みを変化させることで、カテーテルの先端部を越えてバルーンを膨張させる技術が公開されているが（例えば、特許文献１参照）、厚肉の部分がかさばってしまい、カテーテル挿入時の抵抗となるという問題があった。
【先行技術文献】
【特許文献】
【０００３】
【特許文献１】特開２００４−０４１３４９号公報
【発明の概要】
【発明が解決しようとする課題】
【０００４】
本発明の目的は、体内に留置されるバルーンカテーテルの先端部による組織への接触の影響を極力少なくすることができ、且つ、挿入時の抵抗が少ないバルーンカテーテルを提供することである。
【課題を解決するための手段】
【０００５】
このような目的は、下記（１）〜（４）に記載の本発明により達成される。
（１）主内腔とバルーン膨張用内腔とを少なくとも有する管状部材本体と、該管状部材本体の先端側に設けられ該管状部材本体の外径よりも小さいバルーン取付け部と、先端側接着部と基端側接着部とを有して前記バルーン取付け部に接着されているバルーンと、から構成される体内留置用バルーンカテーテルであって、
前記バルーンの先端側接着部は、前記バルーン取付け部の先端軸方向外面に設けられた軸方向外面接着部と、前記バルーン取付け部の先端端面全周に渡って設けられた端面接着部と、を有することを特徴とする体内留置用バルーンカテーテル。
（２）前記バルーンの軸方向外面接着部の長さ（Ａ）と、前記バルーンの全長（Ｂ）との比（Ａ）：（Ｂ）は、１／６以下である（１）に記載の体内留置用バルーンカテーテル。
（３）前記バルーンの端面接着部の径方向の接着長さ（Ｃ）は、前記バルーン取付け部の先端部肉厚と同等もしくは小さい（１）又は（２）に記載の体内留置用バルーンカテーテル。
（４）前記管状部材本体から前記バルーン取付け部にかけてテーパー状に縮径している縮径部を有している（１）乃至（３）のいずれかに記載の体内留置用バルーンカテーテル。
【発明の効果】
【０００６】
本発明によれば体内に留置されるバルーンカテーテルの先端部による組織への接触の影響を極力少なくすることができ、且つ、挿入時の抵抗が少ないバルーンカテーテルを提供することができる。
【図面の簡単な説明】
【０００７】
【図１】本発明の体内留置用バルーンカテーテルの一実施形態を示す、バルーン取付け部の断面図である。
【図２】図１のバルーン取付け部を示す拡大断面図である。
【図３】本発明の体内留置用バルーンカテーテルの、バルーンが膨張した状態を示す拡大断面図である。
【発明を実施するための形態】
【０００８】
以下、本発明の実施の形態について詳細に説明する。図１に示す本発明の体内留置用バルーンカテーテル１は、主内腔５とバルーン膨張用内腔６とを少なくとも有する管状部材本体２と、該管状部材本体２の先端側に設けられ該管状部材本体２の外径よりも小さいバルーン取付け部３と、先端側接着部８と基端側接着部７とを有してバルーン取付け部３に接着されているバルーン４と、から構成される。バルーン膨張用内腔６は、バルーン４の内側の部分に開口部１１が設けられているため、バルーン膨張用内腔６の後端側からシリンジ等を用いて流体を注入することで、バルーン４を膨張させることができる。
【０００９】
図２に示すように、バルーン４は、バルーン取付け部３の先端軸方向外面に設けられた軸方向外面接着部９と、バルーン取付け部３の先端端面全周に渡って設けられた端面接着部１０と、を有することを特徴とする。
【００１０】
先端側接着部８は、バルーン取付け部３の先端端面全周に渡って設けられた端面接着部１０により、バルーン４は軸方向だけでなく径方向にも接着されているため、バルーン４を膨張させるために必要な接着強度を保ちつつ、径方向に設けられた端面接着部１０の長さ（Ｃ）の分、軸方向外面接着部９の長さ（Ａ）を短くすることができる。
【００１１】
図３に示すように、バルーン４は膨張時に管状部材先端を越えて膨張するが、バルーン４先端と軸方向外面接着部９の基端部までの距離（Ｌ）は、バルーン４の大きさに比例する。そのため、軸方向外面接着部９の長さ（Ａ）と、バルーン４の全長（Ｂ）との比（Ａ）：（Ｂ）は、１／６以下であることが望ましい。軸方向外面接着部９をこの長さとすることで、バルーン４がバルーン取付け部３の先端を覆うように膨張するため、体内へのカテーテル留置中に管状部材先端が体内組織を傷つける危険性を少なくすることができる。
【００１２】
バルーン４を膨張させるために必要な接着部の長さは、バルーン４とバルーン取付け部３の接着力に依存するが、バルーン４の大きさにはほとんど影響されない。そのため、本発明は、軸方向外面接着部９の長さ（Ａ）とバルーンの全長（Ｂ）との比（Ａ）：（Ｂ）を１／６以下とするために（Ａ）を短くする必要がある、サイズの小さいバルーンカテーテルにおいて特に有効である。
【００１３】
バルーン４は端面接着部１０が設けられているため、バルーン取付け部３の先端はゴム硬度の低いバルーン部材を好適に用いることができる。こうすることで、体内へのカテーテル挿入時や留置時に、ゴム硬度の高いバルーン取付け部３の先端が体内組織と接触して体内組織を傷つける危険性を少なくすることができる。
【００１４】
バルーン４の端面接着部１０の径方向の接着長さ（Ｃ）は、バルーン取付け部３の先端部肉厚と同等もしくは小さいことが好ましい。こうすることで、バルーン取付け部３の内腔を狭めることなく管状部材本体２に必要な流量を確保することができ、かつバルーン４の径方向の接着強度を最大とすることができる。
【００１５】
更に、バルーン４は、全長の半分より先端側のみにリブが付設されていることが好ましい。こうすることで、バルーン４が膨張時に先端側に進んで膨張し、バルーン４が先端部を覆う効果がより大きくなるため、留置中に管状部材先端が体内組織を傷つける危険性を少なくすることができる。
【００１６】
本発明のバルーンカテーテル１は、管状部材本体２の先端側に設けられたバルーン取付け部３が管状部材本体２の外径よりも小さいため、バルーン接着後のバルーン部のかさばりが小さく、体内へのカテーテル挿入時の抵抗を小さくすることができる。
【００１７】
管状部材は、管状部材本体２からバルーン取付け部３にかけてテーパー状に縮径していることが好ましい。こうすることで、バルーン部を体内に挿入する際の抵抗を少なくすることができる。
【００１８】
バルーン４に用いられる材質は、特に限定されず、シリコーンゴム、ＮＲラテックス、軟質塩化ビニル樹脂、ポリウレタン樹脂などが挙げられるが、生体適合性に優れることからシリコーンゴムを用いることが好ましい。
【符号の説明】
【００１９】
１  体内留置用バルーンカテーテル
２  管状部材本体
３  バルーン取付け部
４  バルーン
５  主内腔
６  バルーン膨張用内腔
７    基端側接着部
８    先端側接着部
９    軸方向外面接着部
１０  端面接着部
１１  開口部
【図１】
2010162163.tif 000003
【図２】
2010162163.tif 000004
【図３】
2010162163.tif 000005